(57)【要約】【課題】第１物品より短い第２物品を第２収容室に収める場合，これを特別な保持作業を行うことなく直ちに保持し得るようにした梱包箱を提供する。【解決手段】六面を閉じた箱体１と，この箱体１の両端壁６，６間に亙り延びて箱体１内を，第１物品Ｇ１及び第２物品Ｇ２をそれぞれ収容する第１収容室４ａ及び第２収容室４ｂの少なくとも２室に区画する仕切り壁３とを備える梱包箱において，仕切り壁３の端部を第２収容室４ｂ側に変位させて位置決め壁部３ｂとなし，この位置決め壁部３ｂは，第１物品Ｇ１より長手方向長さが短い第２物品Ｇ２を第２収容室４ｂに収容したとき，この第２物品Ｇ２の長手方向端面を押えるように配置されることを特徴とする梱包箱。【選択図】      図１
2008302956.tif 000002
【特許請求の範囲】
【請求項１】
長方形の底壁（５），この底壁（５）の短辺部から起立する一対の端壁（６，６），前記底壁（５）の長辺部から起立する一対の側壁（７，７）及び，前記底壁（５）と対向する蓋壁（８ａ，８ｂ）よりなる箱体（１）と，前記両端壁（６，６）間に亙り延びて箱体（１）内を，第１物品（Ｇ１）及び第２物品（Ｇ２）をそれぞれ収容する第１収容室（４ａ）及び第２収容室（４ｂ）の少なくとも２室に区画する仕切り壁（３）とを備える梱包箱において，
前記仕切り壁（３）の端部を前記第２収容室（４ｂ）側に変位させて位置決め壁部（３ｂ）となし，この位置決め壁部（３ｂ）は，第１物品（Ｇ１）より長手方向長さが短い第２物品（Ｇ２）を第２収容室（４ｂ）に収容したとき，この第２物品（Ｇ２）の長手方向端面を押えるように配置されることを特徴とする梱包箱。
【請求項２】
請求項１記載の梱包箱において，
前記位置決め壁部（３ｂ）を，この位置決め壁部（３ｂ）により前記第２収容室（４ｂ）の横幅が前記端壁（６，６）に向かって狭まるように傾斜させ，その傾斜面により前記第２物品（Ｇ２）の長手方向端面を押えることを特徴とする梱包箱。
【請求項３】
請求項１記載の梱包箱において，
前記位置決め壁部（３ｂ）を前記第２収容室（４ｂ）側に段状に張り出し，この位置決め壁部（３ｂ）の内端により前記第２物品（Ｇ２）の長手方向端面を押えることことを特徴とする梱包箱。
【請求項４】
請求項１又は２記載の梱包箱において，
前記蓋壁を，前記一対の側壁（７，７）の上端からそれぞれ前記底壁（５）と対向するように屈曲して互いに対向する第１及び第２蓋壁（８ａ，８ｂ）とで構成し，これら第１及び第２蓋壁（８ａ，８ｂ）の対向端部に，前記底壁（５）に向かって屈曲して互いに重なりながら各端部を前記底壁（５）に当接させる一対の折り込みフラップ（９ａ，９ｂ）を一体に連設し，この両折り込みフラップ（９ａ，９ｂ）により前記仕切り壁（３）を構成したことを特徴とする梱包箱。
【請求項５】
請求項４記載の梱包箱において，
前記端壁（６，６）を，前記底壁（５）の端辺部から延設される一枚の端壁構成フラップ（１５）の折り込みにより，互いに対向する外側壁部（６ａ）及び内側壁部（６ｂ）と，これら両側壁部（６ａ，６ｂ）の上端間を連結する上壁部（６ｃ）と，前記内側壁部（６ｂ）の下端に連なる下壁部（６ｄ）とからなる中空の四角柱状に形成したことを特徴とする梱包箱。
【請求項６】
請求項５記載の梱包箱において，
前記下壁部（６ｄ）に係止部（１９）を設ける一方，この係止部（１９）に係合して前記下壁部（６ｄ）を前記底壁（５）との重なり状態に保持する係止爪片（２０）を切り起こしたことを特徴とする梱包箱。
【発明の詳細な説明】
【技術分野】
【０００１】
本発明は，長方形の底壁，この底壁の短辺部から起立する一対の端壁，前記底壁の長辺部から起立する一対の側壁及び，前記底壁と対向する蓋壁よりなる箱体と，前記両端壁間に亙り延びて箱体内を，第１物品及び第２物品をそれぞれ収容する第１収容室及び第２収容室の少なくとも２室に区画する仕切り壁とを備える梱包箱の改良に関する。
【背景技術】
【０００２】
かゝる梱包箱は，例えば特許文献１に開示されるように，既に知られている。
【特許文献１】実用新案登録第３１０７４７８号公報
【発明の開示】
【発明が解決しようとする課題】
【０００３】
上記特許文献１に記載された梱包箱では，仕切り壁に切欠きを設け，第１収容室に収容される第１物品よりも物品より短い物品をこの切欠きを通して第１及び第２収容室に亙り配置し，この物品を切欠きで保持するようにしているが，こうしたものでは，第１収容室で物品同士が干渉する虞がある。したがって，特許文献１記載のものでも，第１物品より短い第２物品を，第１収容室の第１物品と干渉することなく第２収容室に収める場合は，第２収容室に緩衝材を充填したり，第２物品を粘着テープにより保持したりして，第２物品の妄動を抑える必要があり，そうした作業には手間と時間がかかり，梱包コストの低減の障害となっている。
【０００４】
本発明は，かゝる事情に鑑みてなされたもので，第１物品より短い第２物品を第２収容室に収める場合，これを特別な保持作業を行うことなく直ちに保持し得るようにした梱包箱を提供することを目的とする。
【課題を解決するための手段】
【０００５】
上記目的を達成するために，本発明は，長方形の底壁，この底壁の短辺部から起立する一対の端壁，前記底壁の長辺部から起立する一対の側壁及び，前記底壁と対向する蓋壁よりなる箱体と，前記両端壁間に亙り延びて箱体内を，第１物品及び第２物品をそれぞれ収容する第１収容室及び第２収容室の少なくとも２室に区画する仕切り壁とを備える梱包箱において，前記仕切り壁の端部を前記第２収容室側に変位させて位置決め壁部となし，この位置決め壁部は，第１物品より長手方向長さが短い第２物品を第２収容室に収容したとき，この第２物品の長手方向端面を押えるように配置されることを第１の特徴とする。
【０００６】
また本発明は，第１の特徴に加えて，前記位置決め壁部を，この位置決め壁部により前記第２収容室の横幅が前記端壁に向かって狭まるように傾斜させ，その傾斜面により前記第２物品の長手方向端面を押えることを第２の特徴とする。
【０００７】
さらに本発明は，第１の特徴に加えて，前記位置決め壁部を，前記第２収容室側に段状に張り出し，この位置決め壁部の内端により前記第２物品の長手方向端面を押えることを第３の特徴とする。
【０００８】
さらにまた本発明は，第１又は第２の特徴に加えて，前記蓋壁を，前記一対の側壁の上端からそれぞれ前記底壁と対向するように屈曲して互いに対向する第１及び第２蓋壁とで構成し，これら第１及び第２蓋壁の対向端部に，前記底壁に向かって屈曲して互いに重なりながら各端部を前記底壁に当接させる一対の折り込みフラップを一体に連設し，この両折り込みフラップにより前記仕切り壁を構成したことを第４の特徴とする。
【０００９】
さらにまた本発明は，第４の特徴に加えて，前記端壁を，前記底壁の端辺部から延設される一枚の端壁構成フラップの折り込みにより，互いに対向する外側壁部及び内側壁部と，これら両側壁部の上端間を連結する上壁部と，前記内側壁部の下端に連なる下壁部とからなる中空の四角柱状に形成したことを第５の特徴とする。
【００１０】
さらにまた本発明は，第５の特徴に加えて，前記下壁部に係止部を設ける一方，この係止部に係合して前記下壁部を前記底壁との重なり状態に保持する係止爪片を切り起こしたことを第６の特徴とする。
【発明の効果】
【００１１】
本発明の第１の特徴によれば，第２収容室に，第１収容室の第１物品より短い第２物品を収容すると，位置決め壁部が第２物品の端面を受け止めることで，第２物品の長手方向の動きを抑えることができる。したがって，第１収容室と同様に，第２収容室においても緩衝材を充填したり，第２物品を粘着テープにより保持したりする作業が不要となり，梱包コストの低減を図ることができる。また上記仕切り壁によって梱包箱の剛性を効果的に強化することができる。
【００１２】
本発明の第２の特徴によれば，第２物品の長さに多少変動があっても，その第２物品の第２収容室への収容を可能にする。
【００１３】
本発明の第３の特徴によれば，位置決め壁部の内端により第２物品の端面をしっかり受け止めることができ，したがって第２物品の長手方向の動きを確実に抑えることができる。また第２収容室において，位置決め壁部が臨むスペースを比較的広く確保することができ，このスペースを小物の収容に有効に利用することができる。
【００１４】
本発明の第４の特徴によれば，第１及び第２蓋壁を閉じながら，第１及び第２折り込みフラップを箱体内に折り込むことにより，仕切り壁を構成するので，専用の仕切り壁を箱体に接続する必要がなく，構造の簡素化を図ることができるのみならず，この仕切り壁を底壁に当接させると共に両端壁間に亙り延在することにより，梱包箱の剛性を，より効果的に強化することができる。
【００１５】
本発明の第５の特徴によれば，中空の四角柱状の端壁により，梱包箱の剛性を効果的に強化することができるのみならず，特に内側壁部の弾性と，内側及び外側壁部間の空間を有効に利用して第１物品の端部を緩衝的に受け止めることができ，第１物品を確実に保護することができる。
【００１６】
本発明の第６の特徴によれば，係止部及び係止爪片の係合により，底壁上に中空四角柱の端壁を確実に保持することができ，その保持に接着作業が不要であるから，梱包作業の簡略化を図ることができる。
【発明を実施するための最良の形態】
【００１７】
本発明の実施の形態を，添付図面に示す本発明の好適な実施例に基づいて以下に説明する。
【００１８】
図１は本発明の第１実施例に係る梱包箱の斜視図，図２は図１の２−２線断面図，図３は図２の３−３線断面図，図４は図２の４−４線断面図，図５は図２の５−５線断面図，図６は図５の６−６線断面図，図７は図６の７−７線断面図，図８は同梱包箱の展開図，図９は同梱包箱の第１組立工程説明図，図１０は同梱包箱の第２組立工程説明図，図１１は同梱包箱の最終組立工程説明図，図１２は本発明の第２実施例に係る梱包箱の斜視図，図１３は図１２の１３−１３線断面図，図１４は同梱包箱の展開図，図１５は本発明の第３実施例を示す，図１３との対応図である。
【００１９】
先ず，図１〜図３に示す本発明の第１実施例の説明より始める。
【００２０】
図１〜図３に示すように，この実施例において，梱包すべき第１物品Ｇ１は，自動車の左右のフロントドアの窓枠上部に取り付けられる一対のフロントドアバイザであり，第２物品Ｇ２は，左右のリヤドアの窓枠上部に取り付けられる一対のリヤドアバイザであり，それぞれ保護シートＳで包装されている。第１及び第２物品Ｇ１，Ｇ２は，何れも一側方に僅かに湾曲した長尺物であるが，第２物品Ｇ２の方が第１物品Ｇ１より長さが短い。
【００２１】
さて，図１〜図３及び図８において，上記第１及び第２物品Ｇ１，Ｇ２を梱包する梱包箱１は，１枚のダンボール素材Ｄ（図８参照）を折り曲げてなるもので，六面を閉じる箱体２と，この箱体２の内部を，第１物品Ｇ１を収容する第１収容室４ａと，第２物品Ｇ２を収容する第２収容室４ｂに区画する仕切り壁３とで構成され，第１収容室４ａは，第１物品Ｇ１をその長手方向，横幅及び高さ方向において殆ど遊びなく収容し得るように各部の寸法が設定され，また第２収容室４ｂは，第２物品Ｇ２をその横幅及び高さ方向において殆ど遊びなく収容し得るように各部の寸法が設定される。
【００２２】
而して，第１物品Ｇ１は，第１収容室４ａに納めるとき，凹状の湾曲面を仕切り壁３に対面させるように配置される。また第２物品Ｇ２も，第２収容室４ｂに納めるとき，凹状の湾曲面を仕切り壁３に対面させるように配置される。
【００２３】
上記箱体２は，長方形の底壁５と，この底壁５の短辺側の両端縁から起立する一対の端壁６，６と，前記底壁５の長辺側の両端縁から起立する一対の側壁７，７と，この両側壁７，７の上端からそれぞれ前記底壁５と対向するように屈曲して互いに対向する第１及び第２蓋壁８ａ，８ｂとよりなっており，第１及び第２蓋壁８ａ，８ｂの対向端部に，前記底壁５に向かって屈曲して互いに重なりながら各端部を前記底壁５に垂直に当接させる第１及び第２折り込みフラップ９ａ，９ｂが一体に連設され，これら第１及び第２折り込みフラップ９ａ，９ｂが互いに重なって前記仕切り壁３を構成する。
【００２４】
図２に示すように，各折り込みフラップ９ａ，９ｂは，第２物品Ｇ２の長手方向長さに略等しい長さを持つと共に側壁７，７と平行に配置される主要フラップ１０と，この主要フラップ１０の両端から対応する端壁６に向かって第２収容室４ｂの横幅を狭めるように斜めに配置される端部フラップ１１とに分けられる。
【００２５】
而して，第１及び第２蓋壁８ａ，８ｂを閉じると共に，第１及び第２折り込みフラップ９ａ，９ｂを，箱体２内に折り込むと，対向する２枚の主要フラップ１０，１０は互いに重なって仕切り壁３の，側壁７，７と平行な主要壁部３ａを構成し，また対向する２枚の端部フラップ１１，１１は互いに重なると共に第２収容室４ｂの横幅を端壁６，６に向かって狭める斜め配置の位置決め壁部３ｂを構成する。この位置決め壁部３ｂの傾斜面が第２収容室４ｂ内の第２物品Ｇ２の端面を押えるようになっている。
【００２６】
図４〜図８に示すように，前記各端壁６は，底壁５の端辺側端縁から延設される一枚の端壁構成フラップ１５を平行な４本の折り込み線１６に沿って４回折り込むことにより，中空の四角柱状に形成される。即ち，この中空の四角柱状の端壁６は，互いに対向する外側壁部６ａ及び内側壁部６ｂと，これら両側壁部６ａ，６ｂの上端間を連結する上壁部６ｃと，内側壁部６ｂの下端に連なる下壁部６ｄとで構成される。この端壁６の中空部の両端を閉じる一対の小フラップ１７，１７が外側壁部６ａの両端に連設される。
【００２７】
また各端壁６において，下壁部６ｄに切欠き状の係止部１９が設けられ，この係止部１９に係合して下壁部６ｄを底壁５との重なり状態に保持する係止爪片２０が底壁５から切り起こされる。
【００２８】
また図７及び図８に示すように，外側壁部６ａの下端に一対の位置決めスリット２１，２１が切られ，これら位置決めスリット２１，２１に嵌合する一対の位置決めタブ２２，２２が下壁部の端部に突設される。
【００２９】
さらに図４及び図９に示すように，各端壁６において，上壁部６ｃから内側壁部６ｂにかけて一条の連結スリット２４が切られ，この連結スリット２４に重ねて差し込まれる連結タブ２５，２５が各端部フラップ１１，１１の端部にそれぞれ形成される。各端部フラップ１１と連結タブ２５との間にはスリット２６が設けられる。
【００３０】
次に，この第１実施例の作用について説明する。
【００３１】
梱包箱１の組み立てに当たっては，先ず図９に示すように，端壁構成フラップ１５から前述のようにして中空四角柱の端壁６を形成し，次いで図１０に示すように底壁５上の第１収容室４ａ対応部に第１物品Ｇ１を，その凹状湾曲面を内向にして配置した後，図１１に示すように第１収容室４ａ側の側壁７を起こし，また第１蓋壁８ａを第１物品Ｇ１上に被せるように水平に屈曲させ，さらに第１折り込みフラップ９ａを垂直に折り込むと同時に，第１折り込みフラップ９ａ両端の連結タブ２５，２５を両端壁６，６の連結スリット２４，２４に差し込む。かくして，底壁上に第１収容室４ａが形成される同時に，該室４ａに第１物品Ｇ１を納められる。
【００３２】
最後に，底壁５の第２収容室４ｂ対応部に第２物品Ｇ２を，その凹状湾曲面を内向きにして配置した後，第２収容室４ｂ側の側壁７を起こし，また第２蓋壁８ｂを第２物品Ｇ２上に被せるように水平に屈曲させ，さらに第２折り込みフラップ９ｂを垂直に折り込んで下端を底壁５に当接させることにより，この第２折り込みフラップ９ｂを第１折り込みフラップ９ａに重ね合わせる。これと同時に，第２折り込みフラップ９ｂ両端の連結タブ２５，２５を両端壁６，６の連結スリット２４，２４に，前記第１折り込みフラップ９ａ両端の連結タブ２５，２５に重ねて差し込む。かくして，底壁上に第２収容室４ｂが形成される同時に，該室４ｂに第２物品Ｇ２を納められる。
【００３３】
以上のようにして，一枚のダンボール素材Ｄから，六面を閉じた箱体２と，この箱体２内を，第１物品Ｇ１及びそれより短い第２物品Ｇ２をそれぞれ納めた第１及び第２収容室４ａ，４ｂに区画する仕切り壁３とを備える梱包箱１を簡単に組み立てることができる。
【００３４】
ところで，第２収容室４ｂに第２物品Ｇ２を収容した状態では，仕切り壁３の両端部の位置決め壁部３ｂにより第２物品Ｇ２の両端を受け止めて，その長手方向の動きを押えることができる。したがって，第１収容室４ａと同様に，第２収容室４ｂにおいても緩衝材を充填したり，第２物品を粘着テープにより保持したりする作業は不要となり，梱包コストの低減を図ることができる。
【００３５】
位置決め壁部３ｂが，第２収容室４ｂの横幅を端壁６に向かって狭めるように傾斜することは，第２物品Ｇ２の長さに多少変動があっても，その第２物品Ｇ２の第２収容室４ｂへの収容を可能にする利点がある。
【００３６】
第２収容室４ｂにおいて，各位置決め壁部３ｂに隣接するスペースは，必要に応じて小物品Ｐの収容に利用される。
【００３７】
しかも，仕切り壁３は，第１及び第２蓋壁８ａ，８ｂに連設される第１及び第２折り込みフラップ９ａ，９ｂにより構成されるので，第１及び第２蓋壁８ａ，８ｂを閉じながら，第１及び第２折り込みフラップ９ａ，９ｂを箱体２内に折り込むことにより，仕切り壁３を簡単に形成することができ，したがって専用の仕切り壁を箱体２に取り付ける必要がなく，構造の簡素化を図ることができるのみならず，この仕切り壁３が，その下端を底壁５に当接させると共に両端壁６，６間に亙り延在することにより，梱包箱１の剛性を効果的に強化することができ，さらには第１及び第２折り込みフラップ９ａ，９ｂの重なり合いにより，第１及び第２蓋壁８ａ，８ｂの閉鎖状態を保持することができる。
【００３８】
一方，第１収容室４ａにおいては，位置決め壁部３ｂが第２収容室４ｂの横幅を端壁６に向かって狭めるように傾斜した分，第１収容室４ａの横幅が端壁６に向かって広がることになるから，この第１収容室４ａは，凹状湾曲面を仕切り壁３側に向けて配置される第１物品Ｇ１の形状に対応した形状となる。したがって第１収容室４ａの横幅を全体的に広げずに済み，第１収容室４ａのスペース効率を高めることができ，これにより梱包箱１のコンパクト化，延いては輸送費の低減に寄与し得る。
【００３９】
また仕切り壁３の両端部に一対の位置決め壁部３ｂに設けることで，第２物品Ｇ２を第２収容室４ｂの中央部に保持することになり，第１及び第２物品Ｇ１，Ｇ２を収容して梱包箱１の長手方向両側での重量バランスを良好にすることができる。
【００４０】
中空の四角柱状に構成される端壁６は，梱包箱１の剛性を効果的に強化することができるのみならず，特に内側壁部６ｂの弾性と，内側及び外側壁部６ａ，６ｂ間の空間を有効に利用して第１物品Ｇ１の端部を緩衝的に受け止めることができ，第１物品Ｇ１を確実に保護することができる。
【００４１】
また中空の四角柱状の端壁６は，下壁部６ｄの係止部１９と底壁５の係止爪片２０との係合により，底壁５上に確実に保持されるので，その保持に接着作業が不要であり，梱包作業の簡素化を図ることができる。
【００４２】
また各端壁６において，第１及び第２折り込みフラップ９ａ，９ｂの各両端の連結タブ２５，２５を対応する端壁６の連結スリット２４に重ねて差し込むことによれば，第１及び第２折り込みフラップ９ａ，９ｂの端部フラップ１１，１１よりなる位置決め壁部３ｂの姿勢を安定させることができると共に，第１及び第２折り込みフラップ９ａ，９ｂの重なりと協働して，第１及び第２蓋壁８ａ，８ｂの閉鎖状態を保持することができる。
【００４３】
尚，第１及び第２蓋壁８ａ，８ｂ間を粘着テープにより接続すれば，第１及び第２蓋壁８ａ，８ｂの閉鎖状態を，より強固に保持することができる。
【００４４】
次に，図１２〜図１４に示す本発明の第２実施例について説明する。
【００４５】
この実施例は，仕切り壁３の位置決め壁部３ｂを，主要壁部３ａと，この主要壁部３ａの両端から第２収容室４ｂ側に段状に張り出した一対の位置決め壁部３ｂとで構成し，これら位置決め壁部３ｂの内端により第２収容室４ｂ内の第２物品Ｇ２の両端面を押えるようにした点を除けば，前実施例と同様の構成であり，図１２〜図１４中，前実施例と対応する部分には同一の参照符号を付して，重複する説明を省略する。
【００４６】
この第２実施例によれば，第２収容室４ｂにおいて，位置決め壁部３ｂの内端により第２物品Ｇ２の端面をしっかり受け止めることができ，したがって第２物品Ｇ２の長手方向の動きを確実に抑えることができる。また第２収容室４ｂの，位置決め壁部３ｂが臨むスペースを比較的広く確保することができ，このスペースを小物品Ｐの収容に有効に利用することができる。
【００４７】
最後に，図１５に示す本発明の第３実施例について説明すると，この第３実施例は，第２収容室４ｂにおいて第２物品Ｇ２の長手方向両端を，一方の端壁６と，仕切り壁３に設けられる一枚の位置決め壁部３ｂの内端とで受け止め，その動きを抑えるようにしたもので，その他の構成は前実施例と同様であり，図１５中，前実施例と対応する部分には同一の参照符号を付して，重複する説明を省略する。
【００４８】
この第３実施例によれば，位置決め壁部３ｂを一枚とすることで，梱包箱１の構造の簡素化を図ることができる。
【００４９】
本発明は上記実施例に限定されるものではなく，その要旨を逸脱しない範囲で種々の設計変更が可能である。即ち，梱包箱１の形状及び各部寸法は，ドアバイザに限らず，収容する種々の物品の形状及び寸法に応じて設定されることは勿論である。また仕切り壁３の枚数及び収容室４ａ，４ｂの個数も収容物品の種類に応じて設定されるものである。
【図面の簡単な説明】
【００５０】
【図１】本発明の第１実施例に係る梱包箱の斜視図。
【図２】図１の２−２線断面図。
【図３】図２の３−３線断面図。
【図４】図２の４−４線断面図。
【図５】図２の５−５線断面図。
【図６】図５の６−６線断面図。
【図７】図６の７−７線断面図。
【図８】同梱包箱の展開図。
【図９】同梱包箱の第１組立工程説明図。
【図１０】同梱包箱の第２組立工程説明図。
【図１１】同梱包箱の最終組立工程説明図。
【図１２】本発明の第２実施例に係る梱包箱の斜視図。
【図１３】図１２の１３−１３線断面図。
【図１４】同梱包箱の展開図。
【図１５】本発明の第３実施例を示す，図１３との対応図。
【符号の説明】
【００５１】
Ｇ１・・・・第１物品
Ｇ２・・・・第２物品
１・・・・・梱包箱
２・・・・・箱体
３・・・・・仕切り壁
３ａ・・・・主要壁部
３ｂ・・・・位置決め壁部
４ａ・・・・第１収容室
４ｂ・・・・第２収容室
５・・・・・底壁
６・・・・・端壁
７・・・・・側壁
８ａ・・・・第１蓋壁
８ｂ・・・・第２蓋壁
１５・・・・端壁構成フラップ
１９・・・・係止部
２０・・・・係止爪片
【図１】
2008302956.tif 000003
【図２】
2008302956.tif 000004
【図３】
2008302956.tif 000005
【図４】
2008302956.tif 000006
【図５】
2008302956.tif 000007
【図６】
2008302956.tif 000008
【図７】
2008302956.tif 000009
【図８】
2008302956.tif 000010
【図９】
2008302956.tif 000011
【図１０】
2008302956.tif 000012
【図１１】
2008302956.tif 000013
【図１２】
2008302956.tif 000014
【図１３】
2008302956.tif 000015
【図１４】
2008302956.tif 000016
【図１５】
2008302956.tif 000017